(57)【要約】【課題】巻き尺を使用してラインを引く作業では、簡単で正確にかつ効率的にラインを引く作業が行えない。寸法を読み間違えたり、手間と時間がかかる人の移動が多い。フィールドのサイズをすべて記憶している人がいないと、違う寸法でラインを引いてしまう。3〜4人程度の少ない人数での作業は1〜2時間ほどかかってしまう。 【解決手段】巻き尺にかわり各種競技専用のフィールドラインテンプレート、コーナーテンプレート補助具を使用する。各種競技のフィールドサイズの実寸大に形成されていることを特徴とする、フィールドラインテンプレートと、直角を形成しやすく補助することを特徴とするコーナーテンプレート補助具を用いてラインを引けば簡単で正確にかつ効率的にラインが引ける。 【選択図】図1
2017099870.tif 000002
【特許請求の範囲】
【請求項１】
長方形をした各種競技フィールドの、ラインをマーキングするためのフィールドラインテンプレートであって、
各種競技のフィールドサイズの実寸大に形成されていることを特徴とする、フィールドラインテンプレート。
【請求項２】
長方形をした各種競技フィールドの、ラインをマーキングするためのコーナーテンプレート補助具であって、
フィールドラインテンプレートの、長方形4隅の直角を形成しやすく補助することを特徴とする、コーナーテンプレート補助具。
【請求項３】
長方形をした各種競技フィールドを、フィールドラインテンプレートとコーナーテンプレート補助具を用いてラインをマーキングする方法であって、
各種競技のフィールドサイズの実寸大に形成されていることを特徴とする、フィールドラインテンプレートと、直角を形成しやすく補助することを特徴とするコーナーテンプレート補助具を用いて、ラインをマーキングする方法。
【発明の詳細な説明】
【技術分野】
【０００１】
本発明は、学校のグラウンドや、多目的競技場や広場において、長方形をした各種競技フィールドの設営におけるフィールドライン引きを、簡単で正確にかつ効率的に行える技術に関する。
【背景技術】
【０００２】
学校のグラウンドや多目的競技場や広場で、サッカー、フットサル、ラグビー、アメリカンフットボール、テニスなど、多種の競技が行われている長方形をしたフィールドを従来のラインを引く作業では、予め基準となるポイントを設置して、巻き尺を使用して長方形の寸法を測り、計算により長方形4隅の直角を形作り、ラインを引く。
【先行技術文献】
【特許文献】
【０００３】
【特許文献１】特開2003−111884
【特許文献２】特許第4958274号
【発明の概要】
【発明が解決しようとする課題】
【０００４】
巻き尺を使用してラインを引く作業では、寸法を読み間違えたり、手間と時間がかかる人の移動が多い。フィールドのサイズをすべて記憶している人がいないと、違う寸法でラインを引いてしまう。
よって主たる課題は、簡単で正確にかつ効率的にラインを引く作業が行えるようにすることにある。
【課題を解決するための手段】
【０００５】
この発明は上記課題の解決する、簡単で正確にかつ効率的にラインが引ける手段として、各種競技専用の定規となるフィールドラインテンプレートを使用する。
【発明の効果】
【０００６】
以上の通り本発明によれば、競技に必要なフィールドスペースがあれば、学校のグラウンドや多目的競技場や広場で、フィールドサイズを記憶していなくても、簡単で正確にかつ効率的にラインを引く作業が行える。
【図面の簡単な説明】
【０００７】
【図１】フィールドラインテンプレートの長方形を示す平面図
【図２】長方形の短いラインの部分を示す図
【図３】長方形の長いラインの部分を示す図
【図４】円形部を引くオフセットロープを示す図
【図５】テンプレートに付ける目印の1例を示す図
【図６】コーナーテンプレート補助具の構成図
【図７】フィールドラインテンプレートの使用方法を示す図
【図８】芝生の損傷を防ぐフィールド使用方法を示す図
【図９】フィールドラインテンプレートの長方形を示す平面図
【図１０】長方形の短いラインの部分を示す図
【図１１】長方形の長いラインの部分を示す図
【図１２】フィールドラインテンプレートの長方形を示す平面図
【図１３】長方形の短いラインの部分を示す図
【図１４】長方形の長いラインの部分を示す図
【図１５】破線を引くオフセットロープを示す図
【発明を実施するための形態】
【０００８】
以下、本発明の実施の形態について図面を参照しながら記述する。
サッカーフィールドの大きさは、競技規則のとおり
FIFA、日本国内での大会など、一般大人用の大きさで  105ｍ×68ｍ
少年用11人制の大きさで  80ｍ×50ｍ
少年用8人制の大きさで   68ｍ×50ｍ
と定められている。
ラグビーフィールドの大きさは、競技規則のとおり国際大会など、一般大人用（7人制、男女、シニアを含む）の大きさで  タッチライン100ｍ×ゴールライン70ｍ  インゴール幅22ｍ
少年用U-8の大きさで  タッチライン40ｍ×ゴールライン28ｍ  インゴール幅3ｍ
少年用U-10の大きさで   タッチライン60ｍ×ゴールライン35ｍ  インゴール幅5ｍ
少年用U-12の大きさで   タッチライン60ｍ×ゴールライン40ｍ  インゴール幅5ｍ  
と定められている。
図1から図7は、1例の少年用8人制のサッカーフィールドを示す図である。
図9から図12は、一般大人用11人制（女子を含む）のサッカーフィールドを示す図である。
図13から図18は、一般大人用15人制（女子を含む）のラグビーフィールドを示す図である。
【０００９】
図1は、サッカーの場合の少年用8人制（タッチライン68ｍ×ゴールライン50ｍ）フィールドラインテンプレート（ア）の長方形を示す平面図である。太く実線で描かれた外枠の長方形と4隅のコーナー部分目印（エ）と他各目印箇所が、競技フィールドの実寸大サイズの大きさを示してある。外枠長方形内にはフィールド内のラインと長方形目印がどのように結ばれると完成イメージになるかを分かり易く破線で繋ぎあらわしてある。フィールドラインテンプレートは辺のサイズにあった異なる2色のロープ（イ〔白色〕、ウ〔黄色〕）を結び長方形を作成する。各ロープ（イ、ウ）は伸縮しないタイプで、異なる2色に分けるのは、簡単に長い辺と短い辺をわかりやすくする為である。よって判別しやすければ特に白色と黄色だけといった色の指定はない。
【００１０】
図2は、長方形で短い辺のゴールラインを引くロープ（イ〔白色〕）に付ける目印の位置を示す図である。ゴールラインにはライン中心位置（ケ）〔白色〕から両側に各同じ寸法順にで、ゴールを設置するポスト内側の位置2.5ｍ（ク）〔白色〕、ゴールエリア6.5ｍ（キ）〔赤色〕、ペナルティーエリア14.5ｍ（カ）〔青色〕の位置に目印を付ける。
【００１１】
図3は、長方形で長い辺のタッチラインを引くロープ（ウ）〔黄色〕に付ける目印の位置を示す図である。タッチラインはライン中心位置（オ）〔白色〕がセンターマークまたはハーフウェーラインの位置となり、両側に各同じ寸法でペナルティーエリア22ｍ（カ）〔青色〕、ペナルティーマーク（PK）26ｍ（ケ）〔白色〕、ゴールエリア30ｍ（キ）〔赤色〕の位置に目印を付ける。
【００１２】
図4は、円形部のペナルティーアーク、センターサークルを引くオフセットロープ（7ｍ）（サ）の図である。各サークル（円周）の半径となる7ｍの寸法のロープの両側に釘（シ）を付ける。
【００１３】
図5は、各ロープ（イ、ウ）に付ける目印（エ、オ、カ、キ、ク、ケ）の素材や表示などの詳細を示す図である。目印にはリボンテープなどで切れない強い素材を選び、各位置の名称を表示して、位置名別に色分けをする。
【００１４】
図6は、フィールドラインテンプレート（ア）の長方形の直角を形成するコーナーテンプレート補助具（ス）の構成図である。直角2等辺三角形で直角を挟む1辺が1.0ｍで形成するコーナーテンプレート補助具（ス）にフック（セ）を3個所に取り付けてあり、各ロープ（イ、ウ）をフック（セ）に通して、長方形の直角を形成しやすく補助する。
コーナーテンプレート補助具（ス）は、フィールドラインテンプレート（ア）長方形の各4隅コーナー部分目印（エ）を、4人でそれぞれ手に持ちながら外側に広がっていき、長方形を形成する際の直角となる部分をより正確な直角形成になるよう補助するものである。テンプレートは固い伸縮のない材質で、まっすぐな一片の板や、棒状の物（1ｍ計量器）が曲尺の状態になっていて直角を挟む平形直角2等辺三角形に形成されている。フィールドラインテンプレート（ア）を沿わすように通して、より正確な直角を形成補助するために、形成されているまっすぐな板、または棒状の物が直角に交わり角となる部分に1個と各板または棒状の物の両辺端に2個、フック（セ）が取り付けられている。フック（セ）はフィールドラインテンプレート（ア）をコーナーテンプレート補助具（ス）から1律同間隔（ソ）に離れた位置で保持できるように取り付けられていて、保持された位置が直角形成をなす場所となっている。
【００１５】
図7は、フィールドラインテンプレート（ア）、コーナーテンプレート補助具（ス）を使用してラインを引く方法を示す図 である。a）〜f）図順序で実施する。
【００１６】
a）  4人がそれぞれフィールドラインテンプレート（ア）のコーナー部分目印（エ）を持つ。正確に直角を形成するためのコーナーテンプレート補助具（ス）の３箇所のフック（セ）にフィールドラインテンプレート（ア）を沿わすように通してから、コーナー部分目印（エ）を角のフック（セ）に合わせるように手で持ち固定する。
b）  4人がそれぞれフィールドラインテンプレート（ア）とコーナーテンプレート補助具（ス）を持ちながら同時に長方形になるように外側に広がっていく。フィールドラインテンプレート（ア）のたるみを無くし、歪みを調整して長方形を形成して維持する。
c)  出来上がったフィールドラインテンプレート（ア）の長方形を2台のラインカーで先に引いていく。2台で引くことにより無駄なく移動ができ時間の短縮になるので、対角からそれぞれ逆方向に向かって1台のラインカーでゴールライン短辺部（イ）、タッチライン長辺部（ウ）の1辺ずつラインを引く。同時に目印（オ、カ、キ、ク、ケ）の位置にもわかるように印しておく。
ｄ）  フィールドの長方形が引き終わったら、次にゴールライン短辺部（イ）、タッチライン長辺部（ウ）の目印で、フィールド内のそれぞれペナルティーエリア、ゴールエリア、センターマーク、PKマークの位置を印してラインを引く。この時にもコーナーテンプレート補助具（ス）で、ゴールライン短辺部（イ）とタッチライン長辺部（ウ）の交差する直角形成を維持する。またゴールライン短辺部（イ）でハーフウェーライン（オ）を引く時も、タッチライン長辺部（ウ）との交差する直角形成をコーナーテンプレート補助具（ス）で直角形成を維持する。
長方形のフィールドを半面ずつに分かれて、テンプレートを持つ人、ラインカーを押す人、3人で、両サイド同じ部分のラインを同時に引くと人の行き来移動がなくなり、作業が効率化される。
e)  ゴールエリア、ペナルティーエリア、ハーフウェーライン、フィールドのそれぞれ直線ラインが引き終わったら、オフセットロープ（サ）を半径にして円形部のセンターサークル、ペナルティーアークのラインを引く。コーナーアークの半径1ｍの位置は、コーナーテンプレート補助具（ス）の1辺（1.0ｍ）を使用する。
f)   競技規則のフィールドサイズが確保できない狭い場所で、小さいフィールド（例：66ｍ×48ｍ）をフィールドラインテンプレート（ア）を使用してラインを引く場合、タッチラインの延長68ｍを2ｍ短くする方法は、ラインの中心から両サイド側に1ｍずつの長さをとって、タッチライン長辺部（ウ）を結んで縮める。ゴールラインの延長50ｍを2ｍ短くする方法は、コーナー角からゴール側に1ｍずつの長さをとって、ゴールライン短辺部（イ）を結んで縮める。
【００１７】
フィールドラインテンプレート（ア）は、競技規則にあったフィールド辺となる直線部分を、それぞれ実寸大な紐状の物で、環状に結合させてある。結合させた環状の長さはフィールドエリアの外周長となっている。各結合部分と各フィールド内ラインとの交点部分には、各部分別の目印が付いている。よって簡単に競技フィールドエリアの外側とを区別する境界線を示すことができ、内側はそれぞれの上記目印を結んだ直線、曲線ラインを引くだけでライン引き設営が完成できる。紐状の物は、軽くて伸縮しない柔軟な素材でできており、巻き取り式に収納が可能で、持ち運びにも便利であることが望ましい。サッカーの少年用や大人一般用、また各種競技別の実寸大サイズ専用に形成してあることで、それぞれ別競技の設営でもすべて同様に、使用することが可能なものである。
【００１８】
図8は、芝生の損傷を防ぐフィールド使用方法を示す図である。天然芝のグランドで常に同じ場所にフィールドを設置すると、プレイヤーの立っていることが多いゴール前やセンターマーク付近などは芝の痛みが激しくなってしまう。そこでフィールドの設置場所をスライド移動して設置すれば、芝の損傷を分散できる。
【００１９】
図9は、サッカーの場合の一般大人用11人制（タッチライン105ｍ×ゴールライン68ｍ）フィールドラインテンプレート（ア）の長方形を示す平面図である。太く実線で描かれた外枠の長方形と4隅のコーナー部分目印（エ）と他各目印箇所が、競技フィールドの実寸大サイズの大きさを示してある。外枠長方形内にはフィールド内のラインと長方形目印がどのように結ばれると完成イメージになるかを分かり易く破線で繋ぎあらわしてある。フィールドラインテンプレートは辺のサイズにあった異なる2色のロープ（イ〔白色〕、ウ〔黄色〕）を結び長方形を作成する。各ロープ（イ、ウ）は伸縮しないタイプで、異なる2色に分けるのは、簡単に長い辺と短い辺をわかりやすくする為である。よって判別しやすければ特に白色と黄色だけといった色の指定はない。
【００２０】
図10は、長方形で短い辺のゴールラインを引くロープ（イ〔白色〕）に付ける目印の位置を示す図である。ゴールラインにはライン中心位置（ケ）（白色）から両側に各同じ寸法で順に、ゴールを設置するポスト内側の位置3.66ｍ（ク）（白色）、ゴールエリア9.16ｍ（キ）（赤色）、ペナルティーエリア25.66ｍ（カ）（青色）の位置に目印を付ける。
【００２１】
図11は、長方形で長い辺のタッチラインを引くロープ（ウ）（黄色）に付ける目印の位置を示す図である。タッチラインはライン中心位置（オ）（白色）がセンターマーク、ハーフウェーラインの位置となり、両側に各同じ寸法でペナルティーエリア36ｍ（カ）（青色）、ペナルティーマーク（PK）41.5ｍ（ケ）（白色）、ゴールエリア47ｍ（キ）（赤色）の位置に目印を付ける。
【００２２】
図12は、円形部のペナルティーアーク、センターサークルを引くオフセットロープ（9.15ｍ）（サ）の図である。各サークル（円周）の半径となる9.15ｍの寸法のロープの両側に釘（シ）を付ける。
【００２３】
図5は、各ロープ（イ、ウ）に付ける目印（エ、オ、カ、キ、ク、ケ）の素材や表示などの詳細を示す図である。目印にはリボンテープなどで切れない強い素材を選び、各位置の名称を表示して、位置名別に色分けをする。
【００２４】
図6は、フィールドラインテンプレートの長方形の直角を形成するコーナーテンプレート補助具（ス）の構成図である。直角2等辺三角形で直角を挟む1辺が1.0ｍで形成するコーナーテンプレート補助具（ス）にフック（セ）を3個所に取り付けてあり、各ロープ（イ、ウ）をフック（セ）に通して、長方形の直角を形成しやすく補助する。
コーナーテンプレート補助具（ス）は、フィールドラインテンプレート（ア）長方形の各4隅コーナー部分目印（エ）を、4人でそれぞれ手に持ちながら外側に広がっていき、長方形を形成する際の直角となる部分をより正確な直角形成になるよう補助するものである。テンプレートは固い伸縮のない材質で、まっすぐな一片の板や、棒状の物（1ｍ計量器）が曲尺の状態になっていて直角を挟む平形直角2等辺三角形に形成されている。フィールドラインテンプレート（ア）を沿わすように通して、より正確な直角を形成補助するために、形成されているまっすぐな板、または棒状の物が直角に交わり角となる部分に1個と各板または棒状の物の両辺端に2個、フック（セ）が取り付けられている。フック（セ）はフィールドラインテンプレート（ア）をコーナーテンプレート補助具（ス）から1律同間隔（ソ）に離れた位置で保持できるように取り付けられていて、保持された位置が直角形成をなす場所となっている。
【００２５】
図7は、フィールドラインテンプレート（ア）、コーナーテンプレート補助具（ス）を使用してラインを引く方法を示す図 である。a）〜f）図順序で実施する。
【００２６】
a）  4人がそれぞれフィールドラインテンプレート（ア）のコーナー部分目印（エ）を持つ。正確に直角を形成するためのコーナーテンプレート補助具（ス）の３箇所のフック（セ）にフィールドラインテンプレート（ア）を沿わすように通してから、コーナー部分目印（エ）を角のフック（セ）に合わせるように手で持ち固定する。
b）  4人がそれぞれフィールドラインテンプレート（ア）とコーナーテンプレート補助具（ス）を持ちながら同時に長方形になるように外側に広がっていく。フィールドラインテンプレート（ア）のたるみを無くし、歪みを調整して長方形を形成して維持する。
c)  出来上がったフィールドラインテンプレート（ア）の長方形を2台のラインカーで先に引いていく。2台で引くことにより無駄なく移動ができ時間の短縮になるので、対角からそれぞれ逆方向に向かって1台のラインカーでゴールライン短辺部（イ）、タッチライン長辺部（ウ）の1辺ずつラインを引く。同時に目印（オ、カ、キ、ク、ケ）の位置にもわかるように印しておく。
ｄ）  フィールドの長方形が引き終わったら、次にゴールライン短辺部（イ）、タッチライン長辺部（ウ）の目印で、フィールド内のそれぞれペナルティーエリア、ゴールエリア、センターマーク、PKマークの位置を印してラインを引く。この時にもコーナーテンプレート補助具（ス）で、ゴールライン短辺部（イ）とタッチライン長辺部（ウ）の交差する直角形成を維持する。またゴールライン短辺部（イ）でハーフウェーライン（オ）を引く時も、タッチライン長辺部（ウ）との交差する直角形成をコーナーテンプレート補助具（ス）で直角形成を維持する。
長方形のフィールドを半面ずつに分かれて、テンプレートを持つ人、ラインカーを押す人、3人で、両サイド同じ部分のラインを同時に引くと人の行き来移動がなくなり、作業が効率化される。
e)  ゴールエリア、ペナルティーエリア、ハーフウェーライン、フィールドのそれぞれ直線ラインが引き終わったら、オフセットロープ（サ）を半径にして円形部のセンターサークル、ペナルティーアークのラインを引く。コーナーアークの半径1ｍの位置は、コーナーテンプレート補助具（ス）の1辺（1.0ｍ）を使用する。
f)   競技規則のフィールドサイズが確保できない狭い場所で、小さいフィールド（例：66ｍ×48ｍ）をフィールドラインテンプレート（ア）を使用してラインを引く場合、タッチラインの延長68ｍを2ｍ短くする方法は、ラインの中心から両サイド側に1ｍずつの長さをとって、タッチライン長辺部（ウ）を結んで縮める。ゴールラインの延長50ｍを2ｍ短くする方法は、コーナー角からゴール側に1ｍずつの長さをとって、ゴールライン短辺部（イ）を結んで縮める。
【００２７】
フィールドラインテンプレート（ア）は、競技規則にあったフィールド辺となる直線部分を、それぞれ実寸大な紐状の物で、環状に結合させてある。結合させた環状の長さはフィールドエリアの外周長となっている。各結合部分と各フィールド内ラインとの交点部分には、各部分別の目印が付いている。よって簡単に競技フィールドエリアの外側とを区別する境界線を示すことができ、内側はそれぞれの目印を結んだ直線、曲線ラインを引くだけでライン引き設営が完成できる。サッカーの少年用や大人一般用、また各種競技別の実寸大サイズ専用に形成してあることで、それぞれ別競技の設営でもすべて同様に、使用することが可能なものである。
【００２８】
図8は、芝生の損傷を防ぐフィールド使用方法を示す図である。天然芝のグランドで常に同じ場所にフィールドを設置すると、プレイヤーの立っていることが多いゴール前やセンターマーク付近などは芝の痛みが激しくなってしまう。そこでフィールドの設置場所をスライド移動して設置すれば、芝の損傷を分散できる。
【００２９】
図13は、ラグビーの場合の一般大人用（7人制、男女、シニアを含む）の大きさで  （タッチライン100ｍ×ゴールライン70ｍ  インゴール幅22ｍ）フィールドラインテンプレート（ア）の長方形を示す平面図である。太く実線で描かれた外枠の長方形と4隅のコーナー部分目印（エ）と他各目印箇所が、競技フィールドの実寸大サイズの大きさを示してある。外枠長方形内にはフィールド内のラインと長方形目印がどのように結ばれると完成イメージになるかを分かり易く破線で繋ぎあらわしてある。フィールドラインテンプレートは辺のサイズにあった異なる2色のロープ（イ〔白色〕、ウ〔黄色〕）を結び長方形を作成する。各ロープ（イ、ウ）は伸縮しないタイプで、異なる2色に分けるのは、簡単に長い辺と短い辺をわかりやすくする為である。よって判別しやすければ特に白色と黄色だけといった色の指定はない。
【００３０】
図14は、長方形で短い辺のゴールラインを引くロープ（イ〔白色〕）に付ける目印の位置を示す図である。ゴールラインにはライン中心位置（ソ）（白色）から両側に各同じ寸法で順に、ゴールを設置するポスト内側の位置2.8ｍ（タ）（白色）、タッチライン側から15ｍ位置の15メートルライン22.8ｍ（チ）（赤色）、タッチライン側から5ｍの位置の５メートルライン30ｍ（ツ）（青色）の位置に目印を付ける。
【００３１】
図15は、長方形で長い辺のタッチラインを引くロープ（ウ）（黄色）に付ける目印の位置を示す図である。タッチラインはライン中心位置（テ）（白色）がハーフウェイラインの位置となり、両側に各同じ寸法で10メートルライン10ｍ（ト）（黄色）、ゴールライン側からの22メートルライン28ｍ（ナ）（桃色）、ゴールライン側から5ｍの位置の破線45ｍ（ニ）（黒色）の位置に目印を付ける。22メートルライン位置とゴールライン間の22ｍはインゴール部分端のデットボールラインを引く時に利用する。
【００３２】
図16は、フィールド内に5ｍ間隔で引く破線を予めロープに示す図である。
【００３３】
図17は、各ロープ（イ、ウ）に付ける目印（エ、タ、チ、ツ、テ、ト、ナ、二）の素材や表示などの詳細を示す図である。目印にはリボンテープなどで切れない強い素材を選び、各位置の名称を表示して、位置名別に色分けをする。
【００３４】
図18は、フィールドラインテンプレートの長方形の直角を形成するコーナーテンプレート補助具（ス）の構成図である。直角2等辺三角形で直角を挟む1辺が1.0ｍで形成するコーナーテンプレート補助具（ス）にフック（セ）を3個所に取り付けてあり、各ロープ（イ、ウ）をフック（セ）に通して、長方形の直角を形成しやすく補助する。
コーナーテンプレート補助具（ス）は、フィールドラインテンプレート（ア）長方形の各4隅コーナー部分目印（エ）を、4人でそれぞれ手に持ちながら外側に広がっていき、長方形を形成する際の直角となる部分をより正確な直角形成になるよう補助するものである。テンプレートは固い伸縮のない材質で、まっすぐな一片の板や、棒状の物（1ｍ計量器）が曲尺の状態になっていて直角を挟む平形直角2等辺三角形に形成されている。フィールドラインテンプレート（ア）を沿わすように通して、より正確な直角を形成補助するために、形成されているまっすぐな板、または棒状の物が直角に交わり角となる部分に1個と各板または棒状の物の両辺端に2個、フック（セ）が取り付けられている。フック（セ）はフィールドラインテンプレート（ア）をコーナーテンプレート補助具（ス）から1律同間隔（ソ）に離れた位置で保持できるように取り付けられていて、保持された位置が直角形成をなす場所となっている。
【００３５】
図7は、フィールドラインテンプレート（ア）、コーナーテンプレート補助具（ス）を使用してラインを引く方法を示す図 である。a）〜f）図順序で実施する。
【００３６】
a）  4人がそれぞれフィールドラインテンプレート（ア）のコーナー部分目印（エ）を持つ。正確に直角を形成するためのコーナーテンプレート補助具（ス）の３箇所のフック（セ）にフィールドラインテンプレート（ア）を沿わすように通してから、コーナー部分目印（エ）を角のフック（セ）に合わせるように手で持ち固定する。
b）  4人がそれぞれフィールドラインテンプレート（ア）とコーナーテンプレート補助具（ス）を持ちながら同時に長方形になるように外側に広がっていく。フィールドラインテンプレート（ア）のたるみを無くし、歪みを調整して長方形を形成して維持する。
c)  出来上がったロープの長方形を2台のラインカーで先に引いていく。2台で引くことにより無駄なく移動ができ時間の短縮になるので、対角からそれぞれ逆方向に向かって1台のラインカーでゴールラインロープ（イ）、タッチラインロープ（ウ）の1辺ずつラインを引く。同時に目印（タ、チ、ツ、テ、ト、ナ、二）の位置にもわかるように印しておく。
ｄ）  フィールドの長方形が引き終わったら、次にタッチラインロープ（ウ）の目印で、フィールド内のそれぞれ5メートルライン、15メートルラインの各破線を印してラインを引く。この時にもコーナーテンプレート補助具（ス）で、ゴールラインとタッチラインロープ（ウ）の交差する直角形成を維持する。またゴールラインロープ（イ）でハーフウェーライン、10メートルライン、22メートルライン、5ｍの破線を引く時も、タッチラインとの交差する直角形成をコーナーテンプレート補助具（ス）で維持する。
長方形のフィールドを半面ずつに分かれて、ロープを持つ人、ラインカーを押す人、3人で、両サイド同じ部分のラインを同時に引くと人の行き来移動がなくなり、作業が効率化される。
e)   競技規則のフィールドサイズが確保できない狭い場所で、小さいフィールド（例：95ｍ×67ｍ）をフィールドラインテンプレートを使用してラインを引く場合、タッチラインの延長100ｍを5ｍ短くする方法は、10メートルライン位置からゴールライン側に2.5ｍずつの長さをとって、ロープを結んで縮める。ゴールラインの延長70ｍを3ｍ短くする方法は、15メートルライン位置からゴール側に1.5ｍずつの長さをとって、ロープを結んで縮める。
【００３７】
フィールドラインテンプレートは、競技規則にあったフィールド辺となる直線部分を、それぞれ実寸大な紐状の物で、環状に結合させてある。結合させた環状の長さはフィールドエリアの外周長となっている。各結合部分と各フィールド内ラインとの交点部分には、各部分別の目印が付いている。よって簡単に競技フィールドエリアの外側とを区別する境界線を示すことができ、内側はそれぞれの目印を結んだ直線、曲線ラインを引くだけでライン引き設営が完成できる。ラグビーの少年用や大人一般用、また各種競技別の実寸大サイズ専用に形成してあることで、それぞれ別競技の設営でもすべて同様に、使用することが可能なものである。
【００３８】
図8は、芝生の損傷を防ぐフィールド使用方法を示す図である。天然芝のグランドで常に同じ場所にフィールドを設置すると、芝の痛みが激しくなってしまう。そこでフィールドの設置場所をスライド移動して設置すれば、芝の損傷を分散できる。
【符号の説明】
【００３９】
（ア）フィールドの長方形を作るフィールドラインテンプレート
・  ゴールライン
（ウ）タッチライン
（エ）フィールドラインテンプレート4隅コーナー部分目印
（オ）ハーフェーライン・センターマーク
（カ）ペナルティーエリア
（キ）ゴールエリア
（ク）ゴール設置位置
（ケ）PKマーク・センターマーク
（サ）オフセットロープ
（シ）オフセットロープ端に付ける釘
（ス）コーナーテンプレート補助具
（セ）コーナーテンプレート補助具に付けるロープを通す為のフック
（ソ）フィールドラインテンプレートとコーナーテンプレート補助具との間隔
【図１】
2017099870.tif 000003
【図２】
2017099870.tif 000004
【図３】
2017099870.tif 000005
【図４】
2017099870.tif 000006
【図５】
2017099870.tif 000007
【図６】
2017099870.tif 000008
【図７】
2017099870.tif 000009
【図８】
2017099870.tif 000010
【図９】
2017099870.tif 000011
【図１０】
2017099870.tif 000012
【図１１】
2017099870.tif 000013
【図１２】
2017099870.tif 000014
【図１３】
2017099870.tif 000015
【図１４】
2017099870.tif 000016
【図１５】
2017099870.tif 000017
【手続補正書】
【提出日】平成28年12月8日(2016.12.8)
【手続補正１】
【補正対象書類名】明細書
【補正対象項目名】全文
【補正方法】変更
【補正の内容】
【発明の詳細な説明】
【技術分野】
【０００１】
本発明は、学校のグラウンドや、多目的競技場や広場において、長方形をした各種競技フィールドの設営におけるフィールドライン引きを、簡単で正確にかつ効率的に行える技術に関する。
【背景技術】
【０００２】
学校のグラウンドや多目的競技場や広場で、サッカー、フットサル、ラグビー、アメリカンフットボール、テニスなど、多種の競技が行われている長方形をしたフィールドを従来のラインを引く作業では、予め基準となるポイントを設置して、巻き尺を使用して長方形の寸法を測り、計算により長方形4隅の直角を形作り、ラインを引く。
【先行技術文献】
【特許文献】
【０００３】
【特許文献１】特開2003−111884
【特許文献２】特許第4958274号
【発明の概要】
【発明が解決しようとする課題】
【０００４】
巻き尺を使用してラインを引く作業では、寸法を読み間違えたり、手間と時間がかかる人の移動が多い。フィールドのサイズをすべて記憶している人がいないと、違う寸法でラインを引いてしまう。
よって主たる課題は、簡単で正確にかつ効率的にラインを引く作業が行えるようにするこ
とにある。
【課題を解決するための手段】
【０００５】
この発明は上記課題の解決する、簡単で正確にかつ効率的にラインが引ける手段として、各種競技専用の定規となるフィールドラインテンプレートを使用する。
【発明の効果】
【０００６】
以上の通り本発明によれば、競技に必要なフィールドスペースがあれば、学校のグラウンドや多目的競技場や広場で、フィールドサイズを記憶していなくても、簡単で正確にかつ効率的にラインを引く作業が行える。
【図面の簡単な説明】
【０００７】
【図１】フィールドラインテンプレートの長方形を示す平面図
【図２】長方形の短いラインの部分を示す図
【図３】長方形の長いラインの部分を示す図
【図４】円形部を引くオフセットロープを示す図
【図５】テンプレートに付ける目印の1例を示す図
【図６】コーナーテンプレート補助具の構成図
【図７】フィールドラインテンプレートの使用方法を示す図
【図８】芝生の損傷を防ぐフィールド使用方法を示す図
【図９】フィールドラインテンプレートの長方形を示す平面図
【図１０】長方形の短いラインの部分を示す図
【図１１】長方形の長いラインの部分を示す図
【図１２】フィールドラインテンプレートの長方形を示す平面図
【図１３】長方形の短いラインの部分を示す図
【図１４】長方形の長いラインの部分を示す図
【図１５】破線を引くオフセットロープを示す図
【発明を実施するための形態】
【０００８】
以下、本発明の実施の形態について図面を参照しながら記述する。
サッカーフィールドの大きさは、競技規則のとおり
FIFA、日本国内での大会など、一般大人用の大きさで  105ｍ×68ｍ
少年用11人制の大きさで  80ｍ×50ｍ
少年用8人制の大きさで   68ｍ×50ｍ
と定められている。
ラグビーフィールドの大きさは、競技規則のとおり国際大会など、一般大人用（7人制、男女、シニアを含む）の大きさで  タッチライン100ｍ×ゴールライン70ｍ  インゴール幅22ｍ
少年用U-8の大きさで  タッチライン40ｍ×ゴールライン28ｍ  インゴール幅3ｍ
少年用U-10の大きさで   タッチライン60ｍ×ゴールライン35ｍ  インゴール幅5ｍ
少年用U-12の大きさで   タッチライン60ｍ×ゴールライン40ｍ  インゴール幅5ｍ  と定められている。
図1から図7は、1例の少年用8人制のサッカーフィールドを示す図である。
図9から図12は、一般大人用11人制（女子を含む）のサッカーフィールドを示す図である。
図13から図18は、一般大人用15人制（女子を含む）のラグビーフィールドを示す図である。
【０００９】
図1は、サッカーの場合の少年用8人制（タッチライン68ｍ×ゴールライン50ｍ）フィールドラインテンプレート（ア）の長方形を示す平面図である。太く実線で描かれた外枠の長方形と4隅のコーナー部分目印（エ）と他各目印箇所が、競技フィールドの実寸大サイズの大きさを示してある。外枠長方形内にはフィールド内のラインと長方形目印がどのように結ばれると完成イメージになるかを分かり易く破線で繋ぎあらわしてある。フィールドラインテンプレートは辺のサイズにあった異なる2色のロープ（イ〔白色〕、ウ〔黄色〕）を結び長方形を作成する。各ロープ（イ、ウ）は伸縮しないタイプで、異なる2色に分けるのは、簡単に長い辺と短い辺をわかりやすくする為である。よって判別しやすければ特に白色と黄色だけといった色の指定はない。
【００１０】
図2は、長方形で短い辺のゴールラインを引くロープ（イ〔白色〕）に付ける目印の位置を示す図である。ゴールラインにはライン中心位置（ケ）〔白色〕から両側に各同じ寸法順にで、ゴールを設置するポスト内側の位置2.5ｍ（ク）〔白色〕、ゴールエリア6.5ｍ（キ）〔赤色〕、ペナルティーエリア14.5ｍ（カ）〔青色〕の位置に目印を付ける。
【００１１】
図3は、長方形で長い辺のタッチラインを引くロープ（ウ）〔黄色〕に付ける目印の位置を示す図である。タッチラインはライン中心位置（オ）〔白色〕がセンターマークまたはハーフウェーラインの位置となり、両側に各同じ寸法でペナルティーエリア22ｍ（カ）〔青色〕、ペナルティーマーク（PK）26ｍ（ケ）〔白色〕、ゴールエリア30ｍ（キ）〔赤色〕の位置に目印を付ける。
【００１２】
図4は、円形部のペナルティーアーク、センターサークルを引くオフセットロープ（7ｍ）（サ）の図である。各サークル（円周）の半径となる7ｍの寸法のロープの両側に釘（シ）を付ける。
【００１３】
図5は、各ロープ（イ、ウ）に付ける目印（エ、オ、カ、キ、ク、ケ）の素材や表示などの詳細を示す図である。目印にはリボンテープなどで切れない強い素材を選び、各位置の名称を表示して、位置名別に色分けをする。
【００１４】
図6は、フィールドラインテンプレート（ア）の長方形の直角を形成するコーナーテンプレート補助具（ス）の構成図である。直角2等辺三角形で直角を挟む1辺が1.0ｍで形成するコーナーテンプレート補助具（ス）にフック（セ）を3個所に取り付けてあり、各ロープ（イ、ウ）をフック（セ）に通して、長方形の直角を形成しやすく補助する。
コーナーテンプレート補助具（ス）は、フィールドラインテンプレート（ア）長方形の各4隅コーナー部分目印（エ）を、4人でそれぞれ手に持ちながら外側に広がっていき、長方形を形成する際の直角となる部分をより正確な直角形成になるよう補助するものである。テンプレートは固い伸縮のない材質で、まっすぐな一片の板や、棒状の物（1ｍ計量器）が曲尺の状態になっていて直角を挟む平形直角2等辺三角形に形成されている。フィールドラインテンプレート（ア）を沿わすように通して、より正確な直角を形成補助するために、形成されているまっすぐな板、または棒状の物が直角に交わり角となる部分に1個と各板または棒状の物の両辺端に2個、フック（セ）が取り付けられている。フック（セ）はフィールドラインテンプレート（ア）をコーナーテンプレート補助具（ス）から1律同間隔（ソ）に離れた位置で保持できるように取り付けられていて、保持された位置が直角形成をなす場所となっている。
【００１５】
図7は、フィールドラインテンプレート（ア）、コーナーテンプレート補助具（ス）を使用してラインを引く方法を示す図である。a）〜f）図順序で実施する。
【００１６】
a）  4人がそれぞれフィールドラインテンプレート（ア）のコーナー部分目印（エ）を持つ。正確に直角を形成するためのコーナーテンプレート補助具（ス）の３箇所のフック（セ）にフィールドラインテンプレート（ア）を沿わすように通してから、コーナー部分目印（エ）を角のフック（セ）に合わせるように手で持ち固定する。
b）  4人がそれぞれフィールドラインテンプレート（ア）とコーナーテンプレート補助具（ス）を持ちながら同時に長方形になるように外側に広がっていく。フィールドラインテンプレート（ア）のたるみを無くし、歪みを調整して長方形を形成して維持する。
c)  出来上がったフィールドラインテンプレート（ア）の長方形を2台のラインカーで先に引いていく。2台で引くことにより無駄なく移動ができ時間の短縮になるので、対角からそれぞれ逆方向に向かって1台のラインカーでゴールライン短辺部（イ）、タッチライン長辺部（ウ）の1辺ずつラインを引く。同時に目印（オ、カ、キ、ク、ケ）の位置にもわかるように印しておく。
ｄ）  フィールドの長方形が引き終わったら、次にゴールライン短辺部（イ）、タッチライン長辺部（ウ）の目印で、フィールド内のそれぞれペナルティーエリア、ゴールエリア、センターマーク、PKマークの位置を印してラインを引く。この時にもコーナーテンプレート補助具（ス）で、ゴールライン短辺部（イ）とタッチライン長辺部（ウ）の交差する直角形成を維持する。またゴールライン短辺部（イ）でハーフウェーライン（オ）を引く時も、タッチライン長辺部（ウ）との交差する直角形成をコーナーテンプレート補助具（ス）で直角形成を維持する。
長方形のフィールドを半面ずつに分かれて、テンプレートを持つ人、ラインカーを押す人、3人で、両サイド同じ部分のラインを同時に引くと人の行き来移動がなくなり、作業が効率化される。
e)  ゴールエリア、ペナルティーエリア、ハーフウェーライン、フィールドのそれぞれ直線ラインが引き終わったら、オフセットロープ（サ）を半径にして円形部のセンターサークル、ペナルティーアークのラインを引く。コーナーアークの半径1ｍの位置は、コーナーテンプレート補助具（ス）の1辺（1.0ｍ）を使用する。
f)   競技規則のフィールドサイズが確保できない狭い場所で、小さいフィールド（
例：66ｍ×48ｍ）をフィールドラインテンプレート（ア）を使用してラインを引く場合、
タッチラインの延長68ｍを2ｍ短くする方法は、ラインの中心から両サイド側に1ｍずつの長さをとって、タッチライン長辺部（ウ）を結んで縮める。ゴールラインの延長50ｍを2ｍ短くする方法は、コーナー角からゴール側に1ｍずつの長さをとって、ゴールライン短辺部（イ）を結んで縮める。
【００１７】
フィールドラインテンプレート（ア）は、競技規則にあったフィールド辺となる直線部分を、それぞれ実寸大な紐状の物で、環状に結合させてある。結合させた環状の長さはフィールドエリアの外周長となっている。各結合部分と各フィールド内ラインとの交点部分には、各部分別の目印が付いている。よって簡単に競技フィールドエリアの外側とを区別する境界線を示すことができ、内側はそれぞれの上記目印を結んだ直線、曲線ラインを引くだけでライン引き設営が完成できる。紐状の物は、軽くて伸縮しない柔軟な素材でできており、巻き取り式に収納が可能で、持ち運びにも便利であることが望ましい。サッカーの少年用や大人一般用、また各種競技別の実寸大サイズ専用に形成してあることで、それぞれ別競技の設営でもすべて同様に、使用することが可能なものである。
【００１８】
図8は、芝生の損傷を防ぐフィールド使用方法を示す図である。天然芝のグランドで常に同じ場所にフィールドを設置すると、プレイヤーの立っていることが多いゴール前やセンターマーク付近などは芝の痛みが激しくなってしまう。そこでフィールドの設置場所をスライド移動して設置すれば、芝の損傷を分散できる。
【００１９】
図9は、サッカーの場合の一般大人用11人制（タッチライン105ｍ×ゴールライン68ｍ）フィールドラインテンプレート（ア）の長方形を示す平面図である。太く実線で描かれた外枠の長方形と4隅のコーナー部分目印（エ）と他各目印箇所が、競技フィールドの実寸大サイズの大きさを示してある。外枠長方形内にはフィールド内のラインと長方形目印がどのように結ばれると完成イメージになるかを分かり易く破線で繋ぎあらわしてある。フィールドラインテンプレートは辺のサイズにあった異なる2色のロープ（イ〔白色〕、ウ〔黄色〕）を結び長方形を作成する。各ロープ（イ、ウ）は伸縮しないタイプで、異なる2色に分けるのは、簡単に長い辺と短い辺をわかりやすくする為である。よって判別しやすければ特に白色と黄色だけといった色の指定はない。
【００２０】
図10は、長方形で短い辺のゴールラインを引くロープ（イ〔白色〕）に付ける目印の位置を示す図である。ゴールラインにはライン中心位置（ケ）（白色）から両側に各同じ寸法で順に、ゴールを設置するポスト内側の位置3.66ｍ（ク）（白色）、ゴールエリア9.16ｍ（キ）（赤色）、ペナルティーエリア25.66ｍ（カ）（青色）の位置に目印を付ける。
【００２１】
図11は、長方形で長い辺のタッチラインを引くロープ（ウ）（黄色）に付ける目印の位置を示す図である。タッチラインはライン中心位置（オ）（白色）がセンターマーク、ハーフウェーラインの位置となり、両側に各同じ寸法でペナルティーエリア36ｍ（カ）（青色）、ペナルティーマーク（PK）41.5ｍ（ケ）（白色）、ゴールエリア47ｍ（キ）（赤色）の位置に目印を付ける。
【００２２】
図４は、円形部のペナルティーアーク、センターサークルを引くオフセットロープ（9.15ｍ）（サ）の図である。各サークル（円周）の半径となる9.15ｍの寸法のロープの両側に釘（シ）を付ける。
【００２３】
図5は、各ロープ（イ、ウ）に付ける目印（エ、オ、カ、キ、ク、ケ）の素材や表示などの詳細を示す図である。目印にはリボンテープなどで切れない強い素材を選び、各位置の名称を表示して、位置名別に色分けをする。
【００２４】
図6は、フィールドラインテンプレートの長方形の直角を形成するコーナーテンプレート補助具（ス）の構成図である。直角2等辺三角形で直角を挟む1辺が1.0ｍで形成するコーナーテンプレート補助具（ス）にフック（セ）を3個所に取り付けてあり、各ロープ（イ、ウ）をフック（セ）に通して、長方形の直角を形成しやすく補助する。
コーナーテンプレート補助具（ス）は、フィールドラインテンプレート（ア）長方形の各4隅コーナー部分目印（エ）を、4人でそれぞれ手に持ちながら外側に広がっていき、長方形を形成する際の直角となる部分をより正確な直角形成になるよう補助するものである。テンプレートは固い伸縮のない材質で、まっすぐな一片の板や、棒状の物（1ｍ計量器）が曲尺の状態になっていて直角を挟む平形直角2等辺三角形に形成されている。フィールドラインテンプレート（ア）を沿わすように通して、より正確な直角を形成補助するために、形成されているまっすぐな板、または棒状の物が直角に交わり角となる部分に1個と各板または棒状の物の両辺端に2個、フック（セ）が取り付けられている。フック（セ）はフィールドラインテンプレート（ア）をコーナーテンプレート補助具（ス）から1律同間隔（ソ）に離れた位置で保持できるように取り付けられていて、保持された位置が直角形成をなす場所となっている。
【００２５】
図7は、フィールドラインテンプレート（ア）、コーナーテンプレート補助具（ス）を使用してラインを引く方法を示す図である。a）〜f）図順序で実施する。
【００２６】
a）  4人がそれぞれフィールドラインテンプレート（ア）のコーナー部分目印（エ）を持つ。正確に直角を形成するためのコーナーテンプレート補助具（ス）の３箇所のフック（セ）にフィールドラインテンプレート（ア）を沿わすように通してから、コーナー部分目印（エ）を角のフック（セ）に合わせるように手で持ち固定する。
b）  4人がそれぞれフィールドラインテンプレート（ア）とコーナーテンプレート補助具（ス）を持ちながら同時に長方形になるように外側に広がっていく。フィールドラインテンプレート（ア）のたるみを無くし、歪みを調整して長方形を形成して維持する。
c)  出来上がったフィールドラインテンプレート（ア）の長方形を2台のラインカーで先に引いていく。2台で引くことにより無駄なく移動ができ時間の短縮になるので、対角からそれぞれ逆方向に向かって1台のラインカーでゴールライン短辺部（イ）、タッチライン長辺部（ウ）の1辺ずつラインを引く。同時に目印（オ、カ、キ、ク、ケ）の位置にもわかるように印しておく。
ｄ）  フィールドの長方形が引き終わったら、次にゴールライン短辺部（イ）、タッチライン長辺部（ウ）の目印で、フィールド内のそれぞれペナルティーエリア、ゴールエリア、センターマーク、PKマークの位置を印してラインを引く。この時にもコーナーテンプレート補助具（ス）で、ゴールライン短辺部（イ）とタッチライン長辺部（ウ）の交差する直角形成を維持する。またゴールライン短辺部（イ）でハーフウェーライン（オ）を引く時も、タッチライン長辺部（ウ）との交差する直角形成をコーナーテンプレート補助具（ス）で直角形成を維持する。
長方形のフィールドを半面ずつに分かれて、テンプレートを持つ人、ラインカーを押す人、3人で、両サイド同じ部分のラインを同時に引くと人の行き来移動がなくなり、作業が効率化される。
e)  ゴールエリア、ペナルティーエリア、ハーフウェーライン、フィールドのそれぞれ直線ラインが引き終わったら、オフセットロープ（サ）を半径にして円形部のセンターサークル、ペナルティーアークのラインを引く。コーナーアークの半径1ｍの位置は、コーナーテンプレート補助具（ス）の1辺（1.0ｍ）を使用する。
f)   競技規則のフィールドサイズが確保できない狭い場所で、小さいフィールド（例：66ｍ×48ｍ）をフィールドラインテンプレート（ア）を使用してラインを引く場合、タッチラインの延長68ｍを2ｍ短くする方法は、ラインの中心から両サイド側に1ｍずつの
長さをとって、タッチライン長辺部（ウ）を結んで縮める。ゴールラインの延長50ｍを2ｍ短くする方法は、コーナー角からゴール側に1ｍずつの長さをとって、ゴールライン短辺部（イ）を結んで縮める。
【００２７】
フィールドラインテンプレート（ア）は、競技規則にあったフィールド辺となる直線部分を、それぞれ実寸大な紐状の物で、環状に結合させてある。結合させた環状の長さはフィールドエリアの外周長となっている。各結合部分と各フィールド内ラインとの交点部分には、各部分別の目印が付いている。よって簡単に競技フィールドエリアの外側とを区別する境界線を示すことができ、内側はそれぞれの目印を結んだ直線、曲線ラインを引くだけでライン引き設営が完成できる。サッカーの少年用や大人一般用、また各種競技別の実寸大サイズ専用に形成してあることで、それぞれ別競技の設営でもすべて同様に、使用することが可能なものである。
【００２８】
図8は、芝生の損傷を防ぐフィールド使用方法を示す図である。天然芝のグランドで常に同じ場所にフィールドを設置すると、プレイヤーの立っていることが多いゴール前やセンターマーク付近などは芝の痛みが激しくなってしまう。そこでフィールドの設置場所をスライド移動して設置すれば、芝の損傷を分散できる。
【００２９】
図１２は、ラグビーの場合の一般大人用（7人制、男女、シニアを含む）の大きさで  （タッチライン100ｍ×ゴールライン70ｍ  インゴール幅22ｍ）フィールドラインテンプレート（ア）の長方形を示す平面図である。太く実線で描かれた外枠の長方形と4隅のコーナー部分目印（エ）と他各目印箇所が、競技フィールドの実寸大サイズの大きさを示してある。外枠長方形内にはフィールド内のラインと長方形目印がどのように結ばれると完成イメージになるかを分かり易く破線で繋ぎあらわしてある。フィールドラインテンプレートは辺のサイズにあった異なる2色のロープ（イ〔白色〕、ウ〔黄色〕）を結び長方形を作成する。各ロープ（イ、ウ）は伸縮しないタイプで、異なる2色に分けるのは、簡単に長い辺と短い辺をわかりやすくする為である。よって判別しやすければ特に白色と黄色だけといった色の指定はない。
【００３０】
図１３は、長方形で短い辺のゴールラインを引くロープ（イ〔白色〕）に付ける目印の位置を示す図である。ゴールラインにはライン中心位置（ソ）（白色）から両側に各同じ寸法で順に、ゴールを設置するポスト内側の位置2.8ｍ（タ）（白色）、タッチライン側から15ｍ位置の15メートルライン22.8ｍ（チ）（赤色）、タッチライン側から5ｍの位置の５メートルライン30ｍ（ツ）（青色）の位置に目印を付ける。
【００３１】
図１４は、長方形で長い辺のタッチラインを引くロープ（ウ）（黄色）に付ける目印の位置を示す図である。タッチラインはライン中心位置（テ）（白色）がハーフウェイラインの位置となり、両側に各同じ寸法で10メートルライン10ｍ（ト）（黄色）、ゴールライン側からの22メートルライン28ｍ（ナ）（桃色）、ゴールライン側から5ｍの位置の破線45ｍ（ニ）（黒色）の位置に目印を付ける。22メートルライン位置とゴールライン間の22ｍはインゴール部分端のデットボールラインを引く時に利用する。
【００３２】
図１５は、フィールド内に5ｍ間隔で引く破線を予めロープに示す図である。
【００３３】
図５は、各ロープ（イ、ウ）に付ける目印（エ、タ、チ、ツ、テ、ト、ナ、二）の素材や表示などの詳細を示す図である。目印にはリボンテープなどで切れない強い素材を選び、各位置の名称を表示して、位置名別に色分けをする。
【００３４】
図６は、フィールドラインテンプレートの長方形の直角を形成するコーナーテンプレート補助具（ス）の構成図である。直角2等辺三角形で直角を挟む1辺が1.0ｍで形成するコーナーテンプレート補助具（ス）にフック（セ）を3個所に取り付けてあり、各ロープ（イ、ウ）をフック（セ）に通して、長方形の直角を形成しやすく補助する。
コーナーテンプレート補助具（ス）は、フィールドラインテンプレート（ア）長方形の各4隅コーナー部分目印（エ）を、4人でそれぞれ手に持ちながら外側に広がっていき、長方形を形成する際の直角となる部分をより正確な直角形成になるよう補助するものである。
テンプレートは固い伸縮のない材質で、まっすぐな一片の板や、棒状の物（1ｍ計量器）が曲尺の状態になっていて直角を挟む平形直角2等辺三角形に形成されている。フィールドラインテンプレート（ア）を沿わすように通して、より正確な直角を形成補助するために、形成されているまっすぐな板、または棒状の物が直角に交わり角となる部分に1個と各板または棒状の物の両辺端に2個、フック（セ）が取り付けられている。フック（セ）はフィールドラインテンプレート（ア）をコーナーテンプレート補助具（ス）から1律同間隔（ソ）に離れた位置で保持できるように取り付けられていて、保持された位置が直角形成をなす場所となっている。
【００３５】
図7は、フィールドラインテンプレート（ア）、コーナーテンプレート補助具（ス）を使用してラインを引く方法を示す図である。a）〜f）図順序で実施する。
【００３６】
a）  4人がそれぞれフィールドラインテンプレート（ア）のコーナー部分目印（エ）を持つ。正確に直角を形成するためのコーナーテンプレート補助具（ス）の３箇所のフック（セ）にフィールドラインテンプレート（ア）を沿わすように通してから、コーナー部分目印（エ）を角のフック（セ）に合わせるように手で持ち固定する。
b）  4人がそれぞれフィールドラインテンプレート（ア）とコーナーテンプレート補助具（ス）を持ちながら同時に長方形になるように外側に広がっていく。フィールドラインテンプレート（ア）のたるみを無くし、歪みを調整して長方形を形成して維持する。
c)  出来上がったロープの長方形を2台のラインカーで先に引いていく。2台で引くことにより無駄なく移動ができ時間の短縮になるので、対角からそれぞれ逆方向に向かって1台のラインカーでゴールラインロープ（イ）、タッチラインロープ（ウ）の1辺ずつラインを引く。同時に目印（タ、チ、ツ、テ、ト、ナ、二）の位置にもわかるように印しておく。
ｄ）  フィールドの長方形が引き終わったら、次にタッチラインロープ（ウ）の目印で、フィールド内のそれぞれ5メートルライン、15メートルラインの各破線を印してラインを引く。この時にもコーナーテンプレート補助具（ス）で、ゴールラインとタッチラインロープ（ウ）の交差する直角形成を維持する。またゴールラインロープ（イ）でハーフウェーライン、10メートルライン、22メートルライン、5ｍの破線を引く時も、タッチラインとの交差する直角形成をコーナーテンプレート補助具（ス）で維持する。
長方形のフィールドを半面ずつに分かれて、ロープを持つ人、ラインカーを押す人、3人で、両サイド同じ部分のラインを同時に引くと人の行き来移動がなくなり、作業が効率化される。
e)   競技規則のフィールドサイズが確保できない狭い場所で、小さいフィールド（例：95ｍ×67ｍ）をフィールドラインテンプレートを使用してラインを引く場合、タッチラインの延長100ｍを5ｍ短くする方法は、10メートルライン位置からゴールライン側に2.5ｍずつの長さをとって、ロープを結んで縮める。ゴールラインの延長70ｍを3ｍ短くする方法は、15メートルライン位置からゴール側に1.5ｍずつの長さをとって、ロープを結んで縮める。
【００３７】
フィールドラインテンプレートは、競技規則にあったフィールド辺となる直線部分を、それぞれ実寸大な紐状の物で、環状に結合させてある。結合させた環状の長さはフィールドエリアの外周長となっている。各結合部分と各フィールド内ラインとの交点部分には、各部分別の目印が付いている。よって簡単に競技フィールドエリアの外側とを区別する境界線を示すことができ、内側はそれぞれの目印を結んだ直線、曲線ラインを引くだけでライン引き設営が完成できる。ラグビーの少年用や大人一般用、また各種競技別の実寸大サイズ専用に形成してあることで、それぞれ別競技の設営でもすべて同様に、使用することが可能なものである。
【００３８】
図8は、芝生の損傷を防ぐフィールド使用方法を示す図である。天然芝のグランドで常に同じ場所にフィールドを設置すると、芝の痛みが激しくなってしまう。そこでフィールドの設置場所をスライド移動して設置すれば、芝の損傷を分散できる。
【符号の説明】
【００３９】
（ア）フィールドの長方形を作るフィールドラインテンプレート
（イ）ゴールライン
（ウ）タッチライン
（エ）フィールドラインテンプレート4隅コーナー部分目印
（オ）ハーフェーライン・センターマーク
（カ）ペナルティーエリア
（キ）ゴールエリア
（ク）ゴール設置位置
（ケ）PKマーク・センターマーク
（サ）オフセットロープ
（シ）オフセットロープ端に付ける釘
（ス）コーナーテンプレート補助具
（セ）コーナーテンプレート補助具に付けるロープを通す為のフック
（ソ）フィールドラインテンプレートとコーナーテンプレート補助具との間隔
【手続補正２】
【補正対象書類名】図面
【補正対象項目名】図１２
【補正方法】変更
【補正の内容】
【図１２】
2017099870.tif 000018
【手続補正３】
【補正対象書類名】図面
【補正対象項目名】図１３
【補正方法】変更
【補正の内容】
【図１３】
2017099870.tif 000019